(57)【特許請求の範囲】
【請求項１】
ばね弾力を有し長手方向に並列に配置された一対の可撓性導電片の先端部間にコアと結合したコイルの電極端子を導通接続すると共にこれらを樹脂モールドにより被覆して形成したスライダと、前記一対の可撓性導電片の他端部を固定保持して前記スライダを揺動変位可能に支持する保持部材と、前記保持部材の一部より前記可撓性導電片の長手方向に沿って延在して前記スライダの揺動変位を規制するための規制部材とからなるヘッド支持構造を有し、前記スライダを光磁気ディスクの一面に摺接しかつ光ピックアップに対向配置し、前記光磁気ディスクに対し当接離反可能に構成してなる光磁気記録用の磁界変調ヘッドにおいて、
前記保持部材の一部に前記規制部材の一端を旋回可能に結合構成すると共に、前記規制部材を旋回させて前記スライダの揺動変位を規制し得る所定位置に保持するための係合部を前記保持部材と規制部材との相対する位置にそれぞれ設けることを特徴とする磁界変調ヘッドの組立て構造。
【請求項２】
保持部材は、一対の可撓性導電片の他端部を樹脂モールドからなる支持体により埋設し、前記支持体の一部において前記可撓性導電片を外部に露呈させると共に、この可撓性導電片の露呈部分に樹脂モールドからなる規制部材の一端を一体成形または結合手段により旋回可能に結合構成してなる請求項１記載の磁界変調ヘッドの組立て構造。
【請求項３】
保持部材は、一対の可撓性導電片の他端部と共に金属支持片を樹脂モールドからなる支持体により埋設し、前記支持体の一部において前記金属支持片を外部に露呈させると共に、この金属支持片の露呈部分に樹脂モールドからなる規制部材の一端を一体成形または結合手段により旋回可能に結合構成してなる請求項１記載の磁界変調ヘッドの組立て構造。
【請求項４】
保持部材と規制部材との相対する位置に設ける係合部は、それぞれ相互に嵌合する突起部と孔部とを一体成形により構成してなる請求項１記載の磁界変調ヘッドの組立て構造。
【請求項５】
スライダは、光磁気ディスク面に摺接する前の待機状態において、リフト部材により可撓性導電片の弾力に抗して光磁気ディスク面より離反する方向に変位させると共に規制部材に当接支持させ、光磁気ディスク面と摺接する際には前記リフト部材を変位させて可撓性導電片の弾力のみにより支持されるように構成してなる請求項１記載の磁界変調ヘッドの組立て構造。
【請求項６】
スライダは、一対の可撓性導電片の先端部間にコイルの電極端子を導通接続した接続部位を支点として変位可能に形成し、前記規制部材が保持部材と係合して所定位置に保持された状態において、前記一対の可撓性導電片が変位したときに前記規制部材の一部が前記一対の可撓性導電片に当接してその変位範囲を規制すると共に、前記スライダが変位したときに前記規制部材の他の一部が前記スライダに当接してその変位範囲を規制するように構成してなる請求項１記載の磁界変調ヘッドの組立て構造。
【請求項７】
規制部材の先端部に、前記規制部材の旋回する方向でスライダを収納しかつコア部分を外部に露呈させて前記スライダを上下に変位可能に囲繞する規制収納部を設け、ヘッド支持構造体が所定角度回転して停止したときに、前記規制収納部が前記スライダをその上下において変位を規制して前記規制部材が一対の可撓性導電片の可撓性を補強するように構成してなる請求項１記載の磁界変調ヘッドの組立て構造。
【発明の詳細な説明】
【０００１】
【発明の属する技術分野】
本発明は、光磁気記録用の磁界変調ヘッドに係り、特に磁界変調を行うコイルとコアとを備えたスライダを支持する支持部材の組立てを簡略化すると共に、小形化および薄形化して耐久性を高めることができる磁界変調ヘッドの組立て構造に関するものである。
【０００２】
【従来の技術】
従来、この種の磁界変調ヘッドは、一般に光磁気ディスクの一面に所定の接触圧をもって摺接してセッティングされ、かつ光ピックアップに対向すると共に、固定部材に対して固定した支持部材の先端部に取付けられている。そして前記支持部材は、その下方に配置した板ばね等により構成したリフトレバーの上下変位動作により、前記ディスクに対する接触、離反操作を行うように構成されている。
【０００３】
従って、このように構成された磁界変調ヘッドは、周方向に回転する光磁気ディスクに対して、固定部材に設けられた駆動部を介して半径方向に移動するように設定される。この場合、このヘッド内に収納されているコイル等は、常にその移動と同期しかつ磁界変調ヘッドと同一の間隔をもって移動する光ピックアップの光軸上に位置して、光磁気ディスク上の所定位置に所要の情報を記録し得るように構成されている。
【０００４】
そして、従来の磁界変調ヘッドにおいては、外部接続端子を有するコイルボビンにコイルを巻装し、これにコアを装着し、さらにこれらを囲繞すると共に一部において光磁気ディスクに対して摺接する当接部を有する樹脂モールドからなるスライダを設けた構成からなる。なお、前記構成からなる磁界変調ヘッドは、支持部材の一端部を前記スライダの一部に樹脂溶着により結合固定されている。
【０００５】
しかるに、従来の磁界変調ヘッドおよびその支持機構においては、ヘッドおよびディスクの小形化に発展した場合において、これらを操作する機構が複雑であるために、装置全体の小形化が困難であり、しかも部品点数が多く、しかも製造工数が多いために、組立て作業が繁雑となり、製造コストを低減することができない難点を有している。
【０００６】
このような観点から、本出願人は、先に磁界変調ヘッドおよびその支持部材の構造を改善して、例えば図９に示すように、その昇降機構を簡略化し、しかも前記ヘッドを含めた支持部材全体を小形化および薄形化し、さらにヘッド操作を安定にかつ耐久性に富んだ構成とすることができる磁界変調ヘッドおよびその支持機構を開発し、特許出願を行った（特開平８−７３７８号公報）。
【０００７】
すなわち、図９に示す前記特許出願に係る磁界変調ヘッドの支持機構は、光磁気ディスクＤの光磁気記録面に対し、所定の状態に位置するようにコイルおよびコアを装着したスライダ１４からなる磁界変調ヘッド１０と、この磁界変調ヘッド１０の保持部１６を一端部１２ａにおいて支持軸１５により枢着支持（２０）すると共に、中位部において若干下方に屈折させてこの屈折部２２において支持軸３２により枢着支持（３４）し、その両端１２ａ、１２ｂを上下方向に揺動変位可能に構成した支持レバー１２とを備える。そして、前記支持レバー１２と平行に延在する一対の導電材料からなる板ばね片１８を設けて、この板ばね片１８の一端１８ａを前記磁界変調ヘッド１０に埋設すると共に、その他端部１８ｂを前記支持レバー１２の他端部１２ｂ側に設けた枢着部３４において前記支持レバー１２を係止する保持部材２４に埋設固定する。また、前記支持レバー１２の他端部１２ｂを、常時ばね部材３０によるばね弾力作用で上方へ付勢することによって、前記磁界変調ヘッド１０を前記板ばね片１８の作用下に光磁気ディスクＤ面へ弾力的に当接するように構成される。さらに、前記磁界変調ヘッド１０のコイルと前記板ばね片１８とを電気的に導通接続すると共に、これらを一体的に結合する。
【０００８】
このようにして、この種の磁界変調ヘッドの支持機構は、簡単な構成とすることができると共に、スライダ１４のディスク当接部における対ディスク圧および位置決め精度を、安定かつ正確に維持することができるように構成される。
【０００９】
なお、図９において、参照符号２６は光ピックアップ、２８は前記ばね部材３０の一端を支持するための保持部材２４より突出した突出部、３６は支持レバー１２の他端部１２ｂ側に対してストッパとして作用する係止片、３８は支持レバー１２の他端部１２ｂに係合してばね部材３０による上方への押上げ弾力に抗して下方へ強制的に押下げる動作を行う操作杆をそれぞれ示す。
【００１０】
【発明が解決しようとする課題】
しかるに、今日この種の磁界変調ヘッドを応用した電子機器類は、益々小形化と低コスト化の要求が高まっており、前述した構成からなる従来の磁界変調ヘッドにおいても、さらに磁界変調を行うコイルとコアとを備えたヘッドの構成を改善して、部品点数および製造工数の削減と共に低コストに製造することができる磁界変調ヘッドを得ることが要求されている。
【００１１】
すなわち、従来の磁界変調ヘッドは、スライダとこれを揺動自在に支持する支持レバーとを、それぞれ別部材で作成し、組立てに際してこれらを結合し、しかもこれらの結合部に対して導電材料からなる板ばね片を装着して、上下方向に対する揺動に対して弾力性を保持させる必要があり、このためスライダと支持レバーおよび板ばね片等は、適宜ねじ等の止具を使用して結合することから、組立て作業が繁雑になると共に、光磁気ディスクに当接するスライダの荷重が増大するばかりでなく、その荷重の安定性も欠ける等の問題を生じる。
【００１２】
また、従来の磁界変調ヘッドは、それぞれ別部材からなる構成部材を結合する構成であるため、スライダに対する耐衝撃対策を施すことが困難であり、また磁界変調ヘッドを構成する部材の厚さや設置スペース等を最少限に設定しても、薄形化に限界があるばかりでなく、構成上は変化しないために、組立て作業が細密化して製造に手間が掛かり、従って製造コストを低減することは困難である。
【００１３】
そこで、本発明者等は、鋭意研究並びに試作を重ねた結果、ばね弾力を有する一対の並列に配置された可撓性導電片の先端部に、コアと結合したコイルの電極端子を導通接続すると共にこれらを樹脂モールドにより被覆してスライダを形成し、前記可撓性導電片の他端部を保持部材により固定保持して前記スライダを揺動変位可能に支持し、前記保持部材の一部より前記可撓性導電片の長手方向に沿って延在して前記スライダの揺動変位を規制するための規制部材を設け、前記スライダを光磁気ディスクの一面に摺接しかつ光ピックアップに対向配置し、前記光磁気ディスクに対し当接離反可能に構成してなる光磁気記録用の磁界変調ヘッドを構成する場合、前記可撓性導電片の他端部を固定保持してなる保持部材の一部に、前記規制部材の一端を旋回可能に結合構成すると共に、前記規制部材を旋回させて前記スライダの揺動変位を規制し得る所定位置に位置決めするための係合部を前記保持部材と規制部材との相対する位置にそれぞれ設けることにより、従来の機構に比較して部品点数を減らし、組立て工数を低減してその組立て作業を容易化し、製造コストを大幅に低減することができることを突き止めた。
【００１４】
従って、本発明の目的は、可撓性導電片により弾力的に支持されたスライダの揺動変位を規制するための規制部材を、前記可撓性導電片の一部を埋設した保持部材に対して旋回可能に結合構成することにより、組立て作業の簡略化と共に、荷重の低減化および薄形化並びに低コスト化を容易に達成することができる磁界変調ヘッドの組立て構造を提供することにある。
【００１５】
【課題を解決するための手段】
前記目的を達成するために、本発明に係る磁界変調ヘッドの組立て構造は、ばね弾力を有し長手方向に並列に配置された一対の可撓性導電片の先端部間にコアと結合したコイルの電極端子を導通接続すると共にこれらを樹脂モールドにより被覆して形成したスライダと、前記一対の可撓性導電片の他端部を固定保持して前記スライダを揺動変位可能に支持する保持部材と、前記保持部材の一部より前記可撓性導電片の長手方向に沿って延在して前記スライダの揺動変位を規制するための規制部材とからなるヘッド支持構造を有し、前記スライダを光磁気ディスクの一面に摺接しかつ光ピックアップに対向配置し、前記光磁気ディスクに対し当接離反可能に構成してなる光磁気記録用の磁界変調ヘッドにおいて、
前記保持部材の一部に前記規制部材の一端を旋回可能に結合構成すると共に、前記規制部材を旋回させて前記スライダの揺動変位を規制し得る所定位置に保持するための係合部を前記保持部材と規制部材との相対する位置にそれぞれ設けることを特徴とする。
【００１６】
この場合、前記保持部材は、一対の可撓性導電片の他端部を樹脂モールドからなる支持体により埋設し、前記支持体の一部において前記可撓性導電片を外部に露呈させると共に、この可撓性導電片の露呈部分に樹脂モールドからなる規制部材の一端を一体成形または結合手段により旋回可能に結合構成することができる。
【００１７】
また、前記保持部材は、一対の可撓性導電片の他端部と共に金属支持片を樹脂モールドからなる支持体により埋設し、前記支持体の一部において前記金属支持片を外部に露呈させると共に、この金属支持片の露呈部分に樹脂モールドからなる規制部材の一端を一体成形または結合手段により旋回可能に結合構成することもできる。
【００１８】
さらに、前記保持部材と規制部材との相対する位置に設ける係合部は、それぞれ相互に嵌合する突起部と孔部とを一体成形により構成することができる。
【００１９】
一方、前記スライダは、光磁気ディスク面に摺接する前の待機状態において、リフト部材により可撓性導電片の弾力に抗して光磁気ディスク面より離反する方向に変位させると共に規制部材に当接支持させ、光磁気ディスク面と摺接する際には前記リフト部材を変位させて可撓性導電片の弾力のみにより支持されるように構成することができる。
【００２０】
また、前記スライダは、一対の可撓性導電片の先端部間にコイルの電極端子を導通接続した接続部位を支点として変位可能に形成し、前記規制部材が保持部材と係合して所定位置に保持された状態において、前記一対の可撓性導電片が変位したときに前記規制部材の一部が前記一対の可撓性導電片に当接してその変位範囲を規制すると共に、前記スライダが変位したときに前記規制部材の他の一部が前記スライダに当接してその変位範囲を規制するように構成することができる。
【００２１】
さらに、前記規制部材の先端部に、前記規制部材の旋回する方向でスライダを収納しかつコア部分を外部に露呈させて前記スライダを上下に変位可能に囲繞する規制収納部を設け、ヘッド支持構造体が所定角度回転して停止したときに、前記規制収納部が前記スライダをその上下において変位を規制して前記規制部材が一対の可撓性導電片の可撓性を補強するように構成することができる。
【００２２】
【実施例】
次に、本発明に係る磁界変調ヘッドの組立て構造の実施例につき、添付図面を参照しながら以下詳細に説明する。
【００２３】
実施例１
図１ないし図４は、本発明に係る磁界変調ヘッドの組立て構造の一実施例を示す概略平面図ないし概略側面図である。そこで、図１および図２において、参照符号４０は磁界変調ヘッド、５０はこの磁界変調ヘッド４０を支持する保持部材をそれぞれ示す。
【００２４】
本実施例において、磁界変調ヘッド４０は、コイル４２およびコア４４とを備え、これらコイル４２およびコア４４を一体的に囲繞して光磁気ディスク４８（図４参照）の一面に対向させる樹脂モールドからなるスライダ４６により構成されている。
【００２５】
一方、保持部材５０は、一対の並列に延在する可撓性導電片５２、５２の他端部５２ｂ、５２ｂ側を樹脂モールドからなる支持体５４により埋設固定すると共に、これら一対の可撓性導電片５２、５２の他端部５２ｂ、５２ｂの一部を外部に露呈させ、外部回路との接続を行うための外部接続端子として構成する。
【００２６】
また、前記一対の可撓性導電片５２、５２の一端部５２ａ、５２ａ側を、磁界変調ヘッド４０の両側に延在させ、この磁界変調ヘッド４０の周辺部における前記可撓性導電片５２、５２の外周部を、樹脂モールド５３により被覆する。そして、前記可撓性導電片５２、５２の一端部５２ａ、５２ａを、前記磁界変調ヘッド４０を形成するスライダ４６の先端部４６ａに埋設固定する。
【００２７】
本実施例において、前記保持部材５０は、前記可撓性導電片５２、５２の他端部５２ｂ、５２ｂ側を樹脂モールドからなる支持体５４により埋設固定する際に、その一部に前記可撓性導電片５２、５２によって弾力的に支持されるスライダ４６の揺動変位を規制するための規制部材５８を、その一端において旋回可能となるように一体成形または適宜の結合手段により旋回可能となるように結合構成する。
【００２８】
この場合、前記規制部材５８を支持体５４と共に一体成形するには、例えば金属支持片（図示せず）の一部が外部に露呈するように設定し、この金属支持片５６の外部に露呈する部分に、前記規制部材５８を、その一端において旋回可能となるように樹脂モールドにより一体成形により結合構成する。
【００２９】
そして、前記規制部材５８と金属支持片５６との結合は、図５の（ａ）に示すように、金属支持片５６に設けた孔部５６ａに、規制部材５８を形成する樹脂モールドをアウトサート方式により一体成形することによって、旋回可能に構成することができる。
【００３０】
代案として、前記規制部材５８を一体成形するための支持片は、前記可撓性導電片５２を部分的に拡張し、この拡張した可撓性導電片５２の一部を外部に露呈するようにして、支持体５４と共に一体成形により埋設固定し、この可撓性導電片５２の外部に露呈する部分に設けた孔部に、前記規制部材５８を結合構成することもできる。
【００３１】
一方、前記規制部材５８は、前記金属支持片５６の一部または可撓性導電片５２の一部との結合構成によって、前記支持体５４の成形と同時に一体成形により構成することもできるが、前記規制部材５８を別体として成形し、前記金属支持片５６の孔部５６ａまたは可撓性導電片５２の孔部に、適宜ねじ、リベット、樹脂製ボスによる溶着等の結合手段により、旋回可能に後付けすることもできる。
【００３２】
また、前記保持部材５０と規制部材５８とスライダ４６とからなるヘッド支持構造の旋回による組立てを適正に行うために、例えば図５の（ｂ）に示すように、前記規制部材５８を旋回させて前記スライダ４６に対し、所定位置に位置決めするための係合部６０を、前記支持体５４と規制部材５８との一体成形において、前記支持体５６と規制部材５８との相対する位置にそれぞれ設ける。すなわち、この場合、前記係合部６０としては、例えば前記支持体５６の一部に嵌合突起部６０ａを設け、また前記規制部材５８の一部に嵌合孔部６０ｂを設け、前記嵌合孔部６０ｂに嵌合突起部６０ａを嵌合させた後、前記嵌合突起部６０ａを適宜加熱して融着して固定することができる。なお、これら係合部６０の嵌合突起部６０ａや嵌合孔部６０ｂの形状等については、図示例に限定されることなく、多くの設計変更が可能であることは勿論である。
【００３３】
このように結合構成された本実施例における保持部材５０と規制部材５８とスライダ４６とからなるヘッド支持構造体は、規制部材５８を、図１の矢印に示すように、その枢着部５８ａを中心として旋回させ、その所定位置において前記嵌合突起部６０ａと嵌合孔部６０ｂとを相互に嵌合することによって、規制部材５８とスライダ４６との組立てを、簡便かつ確実に達成することができる。従って、このように旋回させて嵌合固定を行った保持部材５０と規制部材５８とスライダ４６とからなるヘッド支持構造の結合構成は、図２に示すようになる。
【００３４】
本実施例において、前記規制部材５８は、前記磁界変調ヘッド４０のスライダ４６の支持部側に対向位置するように配置される。そして、この規制部材５８は、前記可撓性導電片５２、５２の外周部を囲繞する樹脂モールド５３を、リフト部材５９を介し圧接保持して、スライダ４６の揺動変位を規制するように構成される。
【００３５】
すなわち、本実施例において、磁界変調ヘッド４０は、光磁気ディスク面に摺接する前の待機状態において、図３に示すように、リフト部材５９により可撓性導電片５２、５２の弾力に抗して光磁気ディスク面より離反する方向に変位させると共に、規制部材５８に当接支持させる。そして、光磁気ディスク４８面と摺接する際には、図４に示すように、前記リフト部材５９を変位させて可撓性導電片５２、５２の弾力のみにより支持されるように構成される。
【００３６】
実施例２
図６ないし図８は、本発明に係る磁界変調ヘッドの組立て構造の別の実施例を示す概略平面図ないし概略側面図である。なお、本実施例においても、磁界変調ヘッド４０と、この磁界変調ヘッド４０を支持する保持部材５０とを備え、その基本的な構成は、前記実施例と同じであり、従って同一の構成部分については同一の参照符号を付して説明する。
【００３７】
本実施例において、磁界変調ヘッド４０は、コイル４２およびコア４４とを備え、これらコイル４２およびコア４４を一体的に囲繞して光磁気ディスク４８（図７参照）の一面に対向させる樹脂モールドからなるスライダ４６により構成されている。
【００３８】
一方、保持部材５０は、一対の並列に延在する可撓性導電片５２、５２の他端部５２ｂ、５２ｂ側を樹脂モールドからなる支持体５４により埋設固定すると共に、これら一対の可撓性導電片５２、５２の他端部５２ｂ、５２ｂの一部を外部に露呈させ、外部回路との接続を行うための外部接続端子として構成されている。
【００３９】
前記一対の可撓性導電片５２、５２の一端部５２ａ、５２ａ側を、磁界変調ヘッド４０の両側に延在させ、この磁界変調ヘッド４０の周辺部における前記可撓性導電片５２、５２の外周部を、樹脂モールド５３により被覆する。そして、前記可撓性導電片５２、５２の一端部５２ａ、５２ａを、前記磁界変調ヘッド４０を形成するスライダ４６の先端部４６ａに埋設固定する。
【００４０】
また、本実施例において、前記保持部材５０は、前記可撓性導電片５２、５２の他端部５２ｂ、５２ｂ側を樹脂モールドからなる支持体５４により埋設固定する際に、金属支持片５６をその一部が外部に露呈するようにして一体成形により埋設固定すると共に、この金属支持片５６の外部に露呈する部分に、前記可撓性導電片５２、５２によって弾力的に支持されるスライダ４６の揺動変位を規制するための規制部材５８を、その一端において旋回可能となるように樹脂モールドにより一体成形により結合構成する。
【００４１】
そして、前記規制部材５８と金属支持片５６との結合は、前記実施例と同様にして、図５の（ａ）に示すように、金属支持片５６に設けた孔部５６ａに、規制部材５８を形成する樹脂モールドをアウトサート方式により一体成形することによって、旋回可能に構成することができる。この場合、保持部材５０の大部分は、金属支持片５６によって構成される。
【００４２】
代案として、前記規制部材５８を一体成形するための支持片は、前記可撓性導電片５２を部分的に拡張し、この拡張した可撓性導電片５２の一部を外部に露呈するようにして、支持体５４と共に一体成形により埋設固定し、この可撓性導電片５２の外部に露呈する部分に設けた孔部に、前記規制部材５８を結合構成することもできる。この場合、保持部材５０の大部分は、樹脂モールドからなる支持体５４によって構成することができる。
【００４３】
なお、前記金属支持片５６の一部または可撓性導電片５２の一部と、前記規制部材５８との結合構成は、前記支持体５４の成形と同時に一体成形により構成することもできるが、前記規制部材５８を別体として成形し、前記金属支持片５６の孔部５６ａまたは可撓性導電片５２の孔部に、適宜ねじ、リベット、樹脂製ボスによる溶着等の結合手段により、旋回可能に後付けすることもできる。
【００４４】
また、前記保持部材５０と規制部材５８とスライダ４６とからなるヘッド支持構造の旋回による組立てを適正に行うために、前記実施例と同様にして、例えば図５の（ｂ）に示すように、前記規制部材５８を旋回させて前記スライダ４６に対し、所定位置に位置決めするための係合部６０を、前記支持体５４と規制部材５８との一体成形において、前記支持体５６と規制部材５８との相対する位置にそれぞれ設ける。すなわち、この場合、前記係合部６０としては、例えば前記支持体５６の一部に嵌合突起部６０ａを設け、また前記規制部材５８の一部に嵌合孔部６０ｂを設け、前記嵌合孔部６０ｂに嵌合突起部６０ａを嵌合させた後、前記嵌合突起部６０ａを適宜加熱して融着して固定することができる。なお、これら係合部６０の嵌合突起部６０ａや嵌合孔部６０ｂの形状等については、図示例に限定されることなく、多くの設計変更が可能であることは勿論である。
【００４５】
このように結合構成された本実施例における保持部材５０と規制部材５８とスライダ４６とからなるヘッド支持構造体は、規制部材５８を、図６の矢印に示すように、その枢着部５８ａを中心として旋回させ、その所定位置において前記嵌合突起部６０ａと嵌合孔部６０ｂとを相互に嵌合することによって、規制部材５８とスライダ４６との組立てを、簡便かつ確実に達成することができる。従って、このように旋回させて嵌合固定を行った保持部材５０と規制部材５８とスライダ４６とからなるヘッド支持構造の結合構成は、図７に示すようになる。
【００４６】
本実施例において、前記規制部材５８は、その先端部側が磁界変調ヘッド４０のスライダ４６に対向するように配置される。そして、この規制部材５８には、スライダ４６の揺動変位の範囲を規制するための規制収納部を形成する第１の規制片６１と第２の規制片６２ａ、６２ｂとが設けられる。この場合、前記第１の規制片６１は、スライダ４６の一側面においてその後部４６ｂに当接してこれを保持するように位置し、また前記第２の規制片６２ａ、６２ｂは、スライダ４６の他側面においてその先端部４６ａ側に当接し得るように位置し、コア４４部分が光磁気ディスク４８面に対して適正に当接するように構成される。
【００４７】
すなわち、本実施例において、磁界変調ヘッド４０は、光磁気ディスク４８面に摺接する前の待機状態において、図８に示すように、前記規制部材５８の第１の規制片６１により可撓性導電片５２、５２を弾力的に当接支持させると共に、第２の規制片６２ａ、６２ｂにより前記スライダ４６の揺動変位の幅ｄを規制する。そして、光磁気ディスク４８面と摺接する際には、前記規制部材５８の第１の規制片６１と離反しかつ第２の規制片６２ａ、６２ｂとの間の規制範囲内で前記可撓性導電片５２、５２の弾力のみにより支持されるように構成される。
【００４８】
従って、本実施例によれば、スライダ４６は、前記可撓性導電片５２、５２の先端部５２ａ、５２ａの間にコイル４２の電極端子を導通接続した接続部位を支点として、変位可能に形成し、前記規制部材５８が保持部材５０と係合して所定位置に保持された状態において、前記可撓性導電片５２、５２が変位したときに、前記規制部材５８の一部（規制片６２ａ）が前記可撓性導電片５２、５２に当接してその変位範囲が規制され、しかしながらこの規制にも拘らず、前記スライダ４６が変位したときに、前記規制部材５８の他の一部（規制片６２ｂ）が前記スライダ４６に当接してその変位範囲が規制される。
【００４９】
また、本実施例によれば、保持部材５０と規制部材５８とスライダ４６とからなるヘッド支持構造体が、例えば９０°の範囲で回転変位して光磁気ディスク４８に対してセッティング状態と待機状態とする場合において（図８参照）、前記スライダ４６を囲繞する規制収納部が、その上下において変位を規制して、前記規制部材５８が可撓性導電片５２、５２の可撓性を補強するように機能させると共に、磁界変調ヘッドの耐衝撃防止に有効である。
【００５０】
なお、本実施例において、前記並列に延在する一対の可撓性導電片５２、５２に対しては、部分的に絶縁固定する樹脂モールド帯５５が施される。
【００５１】
前述した各実施例において、前記可撓性導電片５２は、導電性と弾力性（ばね性）とを有するものであって、例えばリン青銅、ステンレス板材あるいはベリリウム銅によって製造したものを好適に使用することができる。
【００５２】
また、保持部材５０の支持体５４、スライダ４６、規制部材５８を形成する樹脂モールドおよびその他の被覆、保護用の樹脂モールド５３、５５としては、例えばポリアセタール樹脂〔ＰＯＭ〕、ナイロン樹脂（ポリアミド樹脂）〔ＰＡ〕、液晶ポリマー〔ＬＣＰ〕等の合成樹脂材料を使用して、容易に製造することができる。
【００５３】
以上、本発明の好適な実施例についてそれぞれ説明したが、本発明は前記各実施例に限定されることなく、本発明の精神を逸脱しない範囲内において種々の設計変更をすることができる。
【００５４】
【発明の効果】
以上説明したように、本発明に係る磁界変調ヘッドの組立て構造によれば、ばね弾力を有し長手方向に並列に配置された一対の可撓性導電片の先端部にコアと結合したコイルの電極端子を導通接続すると共にこれらを樹脂モールドにより被覆して形成したスライダと、前記一対の可撓性導電片の他端部を固定保持して前記スライダを揺動変位可能に支持する保持部材と、前記保持部材の一部より前記可撓性導電片の長手方向に沿って延在して前記スライダの揺動変位を規制するための規制部材とからなるヘッド支持構造を有し、前記スライダを光磁気ディスクの一面に摺接しかつ光ピックアップに対向配置し、前記光磁気ディスクに対し当接離反可能に構成してなる光磁気記録用の磁界変調ヘッドにおいて、前記保持部材の一部に前記規制部材の一端を旋回可能に結合構成すると共に、前記規制部材を旋回させて前記スライダの揺動変位を規制し得る所定位置に保持するための係合部を前記保持部材と規制部材との相対する位置にそれぞれ設けた構成とすることにより、従来の機構に比較して部品点数を減らし、組立て工数を低減して、組立て作業を容易化し、製造コストを大幅に低減することができる。
【００５５】
特に、本発明によれば、保持部材とスライダないし規制部材とを、同一の樹脂モールドを使用して一体成形することができるため、磁界変調ヘッドおよびその支持構造を改善して支持機構の簡略化を達成することができ、しかも磁界変調ヘッドを含めた支持部材全体を小形化および薄形化し、さらに磁界変調ヘッドの操作を安定にし、耐衝撃防止の向上と共に耐久性に富んだ構成とすることができる。
【図面の簡単な説明】
【図１】本発明に係る磁界変調ヘッドの組立て構造の一実施例を示す展開状態の概略平面図である。
【図２】図１に示す磁界変調ヘッドの組立て状態を示す概略平面図である。
【図３】図２に示す磁界変調ヘッドの概略側面図である。
【図４】図２に示す磁界変調ヘッドの動作状態を示す概略側面図である。
【図５】（ａ）は図１に示す磁界変調ヘッドの保持部材の支持体に対する規制部材を旋回自在に結合する枢着部の構成を示す要部拡大断面図であり、（ｂ）は図１に示す磁界変調ヘッドの保持部材の支持体に対する支持レバーの旋回により所定位置に位置決めする係合部の構成を示す要部拡大斜視図である。
【図６】本発明に係る磁界変調ヘッドの組立て構造の別の実施例を示す展開状態の概略平面図である。
【図７】図６に示す磁界変調ヘッドの組立て状態を示す概略平面図である。
【図８】図７に示す磁界変調ヘッドの概略側面図である。
【図９】従来の磁界変調ヘッドの支持機構の構成例を示す概略側面図である。
【符号の説明】
４０  磁界変調ヘッド
４２  コイル
４４  コア
４６  スライダ
４６ａ  先端部（スライダ）
４６ｂ  後部（スライダ）
４８  光磁気ディスク
５０  保持部材
５２  可撓性導電片
５２ａ  一端部（可撓性導電片）
５２ｂ  他端部（可撓性導電片）
５３  樹脂モールド
５４  支持体（樹脂モールド）
５５  樹脂モールド帯
５６  金属支持片
５６ａ  孔部（金属支持片）
５８  規制部材
５８ａ  枢着部（規制部材）
５９  リフト部材
６０  係合部
６０ａ  嵌合突起部
６０ｂ  嵌合孔部
６１  第１の規制片
６２ａ、６２ｂ  第２の規制片
【図１】
0003750708.tif 000002
【図２】
0003750708.tif 000003
【図３】
0003750708.tif 000004
【図４】
0003750708.tif 000005
【図５】
0003750708.tif 000006
【図６】
0003750708.tif 000007
【図７】
0003750708.tif 000008
【図８】
0003750708.tif 000009
【図９】
0003750708.tif 000010